(57)【特許請求の範囲】
【請求項１】
棒金を収納する収納部を有する棒金収納トレイと、
前記棒金収納トレイを引出し可能に格納する筐体と、
を備える棒金収納庫であって、
前記収納部は、１種類の棒金の収納に対応した専用ポケットを１以上設けた専用ユニットと、複数種類の棒金の収納に対応した兼用ポケットを１以上設けた兼用ユニットとを組み合わせて構成され、
前記兼用ポケットは、中央に貫通孔のない硬貨を積層した棒金と、中央に貫通孔のある硬貨を積層した棒金とに対応し、
前記兼用ポケットには、該兼用ポケットに収納された棒金の材質によって検出値が変化する第１センサと、該兼用ポケットに収納された棒金を構成する硬貨の貫通孔の有無を検出する第２センサとが設けられ、
前記兼用ポケットの形状は、該兼用ポケットの収納対象となる種類以外の棒金を適正に収納できない形状であることを特徴とする棒金収納庫。 
【請求項２】
請求項１に記載の棒金収納庫において、
前記兼用ポケットは、１円硬貨を積層した１円棒金及び５円硬貨を積層した５円棒金に対応していることを特徴とする棒金収納庫。 
【請求項３】
請求項１〜２のいずれか１項に記載の棒金収納庫において、
前記収納部は、前記専用ユニット又は前記兼用ユニットが、前記棒金収納トレイの引出し方向で手前側から奥側に向かって順に、複数列に配置される構成であることを特徴とする棒金収納庫。 
【請求項４】
請求項３に記載の棒金収納庫において、
前記収納部は、最奥側以外の各列に、前記専用ユニット及び前記兼用ユニットの何れか又は両方が複数配置される構成であることを特徴とする棒金収納庫。 
【請求項５】
請求項３又は４に記載の棒金収納庫において、
収納部は、最奥側の列に前記兼用ユニットが配置され、該兼用ユニットには、前記兼用ポケットに収納される棒金以外の金種の棒金の収納に対応した専用ポケットがさらに設けられていることを特徴とする棒金収納庫。 
【請求項６】
請求項２に記載の棒金収納庫において、
前記収納部は、前記棒金収納トレイの引出し方向で手前側から奥側に向かって順に、第１ユニットと、第２ユニットと、第３ユニットとを備え、
前記第１ユニット、前記第２ユニット、及び前記第３ユニットのうちの１以上のユニットを前記兼用ユニットで構成することを特徴とする棒金収納庫。 
【請求項７】
請求項６に記載の棒金収納庫において、
前記第２ユニットを１円棒金に対応した専用ポケットを有する専用ユニットとし、
前記第３ユニットを５円棒金に対応した専用ポケットを有する専用ユニットとし、
前記第１ユニットを１円棒金及び５円棒金に対応した兼用ポケットを有する兼用ユニットとすることを特徴とする棒金収納庫。 
【請求項８】
請求項６に記載の棒金収納庫において、
前記第１ユニットを１円棒金に対応した専用ポケットを有する専用ユニットとし、
前記第３ユニットを５円棒金に対応した専用ポケットを有する専用ユニットとし、
前記第２ユニットを１円棒金及び５円棒金に対応した兼用ポケットを有する兼用ユニットとすることを特徴とする棒金収納庫。 
【請求項９】
請求項６に記載の棒金収納庫において、
前記第１ユニット及び前記第２ユニットを１円棒金に対応した専用ポケットを有する専用ユニットとし、
前記第３ユニットを１円棒金及び５円棒金に対応した兼用ポケットを有する兼用ユニットとすることを特徴とする棒金収納庫。 
【請求項１０】
請求項６に記載の棒金収納庫において、
前記第１ユニット、前記第２ユニット、及び前記第３ユニットを１円棒金及び５円棒金に対応した兼用ポケットを有する兼用ユニットとすることを特徴とする棒金収納庫。 
【請求項１１】
請求項７〜１０のいずれか１項に記載の棒金収納庫において、
前記第１ユニットの側部に、１０円硬貨を積層した１０円棒金に対応した専用ポケットを有する専用ユニットと、１００円硬貨を積層した１００円棒金に対応した専用ポケットを有する専用ユニットとを配設し、
前記第２ユニットの側部に、１０円硬貨を積層した１０円棒金に対応した専用ポケットを有する専用ユニットと、１００円硬貨を積層した１００円棒金に対応した専用ポケットを有する専用ユニットとを配設し、
前記第３ユニットには、さらに、５０円硬貨を積層した５０円棒金に対応した専用ポケットと、５００円硬貨を積層した５００円棒金に対応した専用ポケットとを設けることを特徴とする棒金収納庫。
【発明の詳細な説明】
【技術分野】
【０００１】
本発明は、硬貨を種類毎に積層して包装した棒金を収納するための棒金収納庫に関する。
【背景技術】
【０００２】
昨今のスーパーマーケットやコンビニエンスストアでは、ＰＯＳ（Ｐｏｉｎｔ  Ｏｆ  Ｓａｌｅｓ）端末に自動釣銭機と称される貨幣処理装置が接続されているのが一般的である。貨幣処理装置は、例えば、貨幣が投入された場合にこれを識別して収納する一方、ＰＯＳ端末から出金指令が与えられた場合には該当する金額の貨幣を払い出すようにしたものである。
【０００３】
この種の貨幣処理装置の中には、棒金収納庫を付設したものがある。棒金収納庫は、予め設定した枚数の同一種類の硬貨を積層して包装した棒金（棒状硬貨）を収納するものであり、貨幣処理装置において出金する硬貨が足りなくなった場合には、棒金収納庫から足りなくなった硬貨と同一種類の棒金が取り出され、貨幣処理装置に補充される。
【０００４】
通常、棒金収納庫の筐体に引出し可能に格納される棒金収納トレイでは、金種毎に収納すべき場所が定められている。例えば、特許文献１には、棒金収納トレイの引出し方向で手前側から奥側に向かって第１範囲と第２範囲とを画成し、手前側の第１範囲に１円棒金、１０円棒金、１００円棒金の各専用となる収納ポケットを設け、奥側の第２範囲に５円棒金、５０円棒金、５００円棒金の各専用となる収納ポケットを設けた構成が開示されている。特許文献１では、このような構成を採用したことにより、取出し要求の可能性の高い硬貨を手前側の第１範囲に配置し、取出し要求の可能性の低い硬貨を奥側の第２範囲に配置することができ、棒金の取出し作業を効率的に行うことができる、としている。
【先行技術文献】
【特許文献】
【０００５】
【特許文献１】特許第４９５４７４１号公報
【発明の概要】
【発明が解決しようとする課題】
【０００６】
しかしながら、店舗の価格設定や消費税の税率等の条件により、硬貨の金種毎の使用頻度は大きく変動する。例えば、商品の値段を１００円均一に設定している店舗では、例えば、消費税が５％の場合、顧客の支払額は基本的に１０５円の整数倍となり、釣銭として５円硬貨の使用頻度が非常に高いものとなる。従って、このような価格設定の店舗に上記特許文献１の構成からなる棒金収納庫を導入した場合、対応する収納ポケットが少なく且つ奥側に配置された５円棒金の在庫不足が頻発し、その補充作業を頻繁に行う必要が生じる。その反面、対応する収納ポケットが多く且つ手前側に配置された１円棒金の使用頻度が極めて低いものとなり、効率が悪い。また、消費税が８％の場合は、顧客の支払額は１０８円の整数倍となり、釣銭として１円硬貨の使用頻度が高くなるから、たとえ１円棒金が多く配置されていても不足が生じる可能性がある。
【０００７】
このように、店舗毎或いは棒金収納庫毎に要求される棒金の種類や本数が異なるため、収納する棒金の種類や本数を柔軟に設定することができなければ各店舗のニーズに答えることは難しい。すなわち、特許文献１の構成のように、各金種の専用ポケットを適宜配置しているだけでは、顧客毎の異なるニーズに対応することが難しく、また将来的な店舗の価格設定の見直しや消費税の税率変更等に伴って各棒金の収納量を変更することも容易でない。
【０００８】
本発明は、上記従来の課題を考慮してなされたものであり、収納する棒金の種類や本数を柔軟に設定することができる棒金収納庫を提供することを目的とする。
【課題を解決するための手段】
【０００９】
本発明に係る棒金収納庫は、棒金を収納する収納部を有する棒金収納トレイと、前記棒金収納トレイを引出し可能に格納する筐体とを備える棒金収納庫であって、前記収納部は、１種類の棒金の収納に対応した専用ポケットを１以上設けた専用ユニットと、複数種類の棒金の収納に対応した兼用ポケットを１以上設けた兼用ユニットとを組み合わせて構成されることを特徴とする。
【００１０】
このような構成によれば、１種類の棒金の収納に対応した専用ポケットを１以上設けた専用ユニットと、複数種類の棒金の収納に対応した兼用ポケットを１以上設けた兼用ユニットとを組み合わせて収納部を構成している。このため、従来構成のように棒金の収納ポケットを全て専用ポケットで構成した場合に比べて、収納する棒金の種類や本数を柔軟に設定変更することができ、店舗毎或いは棒金収納庫毎に要求される棒金の種類や本数に柔軟に対応することができる。しかも、複数のユニットを組み合わせて収納部を構成することができるため、専用ユニットと兼用ユニットの変更も極めて容易に行うことができ、棒金収納庫の利便性・汎用性を大幅に高めることができる。
【００１１】
前記兼用ポケットは、中央に貫通孔のない硬貨を積層した棒金と、中央に貫通孔のある硬貨を積層した棒金とに対応していること、貫通孔の有無によって兼用ポケットに収納される棒金を容易に判別することができる。
【００１２】
前記兼用ポケットには、該兼用ポケットに収納された棒金の材質によって検出値が変化する第１センサと、該兼用ポケットに収納された棒金を構成する硬貨の貫通孔の有無を検出する第２センサとが設けられ、前記兼用ポケットの形状は、該兼用ポケットの収納対象となる種類以外の棒金を適正に収納できない形状であると、兼用ポケットでの収納対象となる棒金と他の種類の棒金とを容易に判別することができる。
【００１３】
前記兼用ポケットには、該兼用ポケットに収納された棒金の材質によって検出値が変化する第１センサと、該兼用ポケットに収納された棒金を構成する硬貨の貫通孔の有無を検出する第２センサとが設けられ、前記兼用ポケットの形状は、該兼用ポケットの収納対象となる種類の棒金に対して前記第１センサでは区別できない棒金を適正に収納できない形状であると、兼用ポケットでの収納対象となる棒金と他の種類の棒金とを容易に判別することができる。
【００１４】
前記兼用ポケットは、１円硬貨を積層した１円棒金及び５円硬貨を積層した５円棒金に対応していると、例えば、消費税の税率に応じてその釣銭としての使用頻度が大きく変化すると想定される１円棒金及び５円棒金の収納量を柔軟に変更することが可能となる。
【００１５】
前記兼用ポケットは、５０円硬貨を積層した５０円棒金及び１００円硬貨を積層した１００円棒金に対応したものとしてもよい。
【００１６】
前記収納部は、前記専用ユニット又は前記兼用ユニットが、前記棒金収納トレイの引出し方向で手前側から奥側に向かって順に、複数列に配置される構成であると、棒金の金種の使用頻度等を考慮し、例えば、使用頻度の高い種類の棒金に対応した専用ポケットや兼用ポケットを手前側に配置することができ、利便性を高めることができる。
【００１７】
前記収納部は、最奥側以外の各列に、前記専用ユニット及び前記兼用ユニットの何れか又は両方が複数配置される構成であってもよい。最奥側以外の各列は、棒金収納トレイを引出した際に作業し易い位置にくるため、ユニットを複数配置することで利便性を一層高めることができる。
【００１８】
収納部は、最奥側の列に前記兼用ユニットが配置され、該兼用ユニットには、前記兼用ポケットに収納される棒金以外の金種の棒金の収納に対応した専用ポケットがさらに設けられてもよい。最奥側の列に配置された兼用ユニットに、兼用ポケットと共に専用ポケットを設けておくことにより、比較的使用頻度の低い種類の棒金を最奥側に配置し、使用頻度の高い種類の棒金を手前側に配置することができる。
【００１９】
前記収納部は、前記棒金収納トレイの引出し方向で手前側から奥側に向かって順に、第１ユニットと、第２ユニットと、第３ユニットとを備え、前記第１ユニット、前記第２ユニット、及び前記第３ユニットのうちの１以上のユニットを前記兼用ユニットで構成してもよい。そうすると、棒金の金種の使用頻度等を考慮し、例えば、使用頻度の高い種類の棒金に対応した兼用ポケットを手前側に配置することができ、利便性を高めることができる。
【００２０】
前記第２ユニットを１円棒金に対応した専用ポケットを有する専用ユニットとし、前記第３ユニットを５円棒金に対応した専用ポケットを有する専用ユニットとし、前記第１ユニットを１円棒金及び５円棒金に対応した兼用ポケットを有する兼用ユニットとしてもよい。
【００２１】
前記第１ユニットを１円棒金に対応した専用ポケットを有する専用ユニットとし、前記第３ユニットを５円棒金に対応した専用ポケットを有する専用ユニットとし、前記第２ユニットを１円棒金及び５円棒金に対応した兼用ポケットを有する兼用ユニットとしてもよい。
【００２２】
前記第１ユニット及び前記第２ユニットを１円棒金に対応した専用ポケットを有する専用ユニットとし、前記第３ユニットを１円棒金及び５円棒金に対応した兼用ポケットを有する兼用ユニットとしてもよい。
【００２３】
前記第１ユニット、前記第２ユニット、及び前記第３ユニットを１円棒金及び５円棒金に対応した兼用ポケットを有する兼用ユニットとしてもよい。
【００２４】
前記第１ユニットの側部に、１０円硬貨を積層した１０円棒金に対応した専用ポケットを有する専用ユニットと、１００円硬貨を積層した１００円棒金に対応した専用ポケットを有する専用ユニットとを配設し、前記第２ユニットの側部に、１０円硬貨を積層した１０円棒金に対応した専用ポケットを有する専用ユニットと、１００円硬貨を積層した１００円棒金に対応した専用ポケットを有する専用ユニットとを配設し、前記第３ユニットには、さらに、５０円硬貨を積層した５０円棒金に対応した専用ポケットと、５００円硬貨を積層した５００円棒金に対応した専用ポケットとを設けてもよい。
【発明の効果】
【００２５】
本発明によれば、１種類の棒金の収納に対応した専用ポケットを１以上設けた専用ユニットと、複数種類の棒金の収納に対応した兼用ポケットを１以上設けた兼用ユニットとを組み合わせて収納部を構成している。このため、従来構成のように棒金の収納ポケットを全て専用ポケットで構成した場合に比べて、収納する棒金の種類や本数を柔軟に設定変更することができ、店舗毎或いは棒金収納庫毎に要求される棒金の種類や本数に柔軟に対応することができる。
【図面の簡単な説明】
【００２６】
【図１】図１は、本発明の一実施形態に係る棒金収納庫に貨幣処理装置を搭載した貨幣管理システムの斜視図である。
【図２】図２は、図１に示す棒金収納庫の棒金収納トレイを筐体から引出した状態での斜視図である。
【図３】図３は、図２に示す棒金収納庫の棒金収納トレイのユニットを交換する状態を説明するための斜視図である。
【図４】図４は、ユニットの構成を示す拡大斜視図である。
【図５】図５は、棒金収納トレイに設けられた収納部の平面図である。
【図６】図６は、図５に示す収納部に収納される棒金の基準配置を説明するための平面図である。
【図７】図７は、第１構成例に係る兼用配置を適用した収納部の平面図である。
【図８】図８は、第２構成例に係る兼用配置を適用した収納部の平面図である。
【図９】図９は、第３構成例に係る兼用配置を適用した収納部の平面図である。
【図１０】図１０は、第４構成例に係る兼用配置を適用した収納部の平面図である。
【図１１】図１１は、１円／５円棒金兼用ポケットの構成を説明するための平面図である。
【図１２】図１２は、図１１に示す１円／５円棒金兼用ポケットの構成を説明するための正面断面図である。
【図１３】図１３は、第５構成例に係る兼用配置を適用した収納部の平面図である。
【図１４】図１４は、第６構成例に係る兼用配置を適用した収納部の平面図である。
【図１５】図１５は、第７構成例に係る兼用配置を適用した収納部の平面図である。
【図１６】図１６は、第８構成例に係る兼用配置を適用した収納部の平面図である。
【図１７】図１７は、５０円／１００円棒金兼用ポケットの構成を説明するための平面図である。
【図１８】図１８は、１０円／５０円棒金兼用ポケットと１００円／５００円兼用ポケットとを設けた構成例に係る収納部の平面図である。
【発明を実施するための形態】
【００２７】
以下、本発明に係る棒金収納庫について好適な実施の形態を挙げ、添付の図面を参照しながら詳細に説明する。
【００２８】
図１は、本発明の一実施形態に係る棒金収納庫１０に貨幣処理装置１２を搭載した貨幣管理システムの斜視図であり、図２は、図１に示す棒金収納庫１０の棒金収納トレイ１４を筐体１６から引出した状態での斜視図である。
【００２９】
図１及び図２に示す貨幣管理システムは、本実施形態に係る棒金収納庫１０の上に、硬貨を扱う釣銭機１７及び紙幣を扱う釣札機１８を有する貨幣処理装置１２を載せたものである。このシステムは、例えば、スーパーマーケットやコンビニエンスストア等の店舗に設置されて上位機となるＰＯＳ端末（図示せず）と接続され、釣銭や棒金の管理・収納等を行うレジシステムを構成する。
【００３０】
棒金収納庫１０は、貨幣処理装置１２の釣銭機１７に補充するための棒金（棒状硬貨）を準備金として収納するものである。ここで、棒金とは、同一種類の硬貨を予め設定した枚数だけ積層して包装し、１つの取扱単位として構成したものである。本実施形態に係る棒金収納庫１０は、１円硬貨、５円硬貨、１０円硬貨、５０円硬貨、１００円硬貨、５００円硬貨をそれぞれ所定の枚数（例えば、５０枚）ずつ包装した棒金（１円棒金、５円棒金、１０円棒金、５０円棒金、１００円棒金、５００円棒金）を収納対象としている。
【００３１】
棒金収納庫１０は、箱状の筐体１６と、筐体１６の前面から手前側へと引出し可能に配設された棒金収納トレイ１４とを備える。
【００３２】
筐体１６は、前面が開口した直方体形状を成すものである。筐体１６の内部には、左右対となる本体側ガイド部材（図示せず）が設けられている。左右の本体側ガイド部材は、それぞれ筐体１６の側壁内面に対し、棒金収納トレイ１４の引出し方向に沿って延在するように取り付けられている。筐体１６の内部には、棒金収納トレイ１４が該筐体１６の奥部まで押込まれた場合にその引出しを規制するロック機構（図示せず）が設けられている。このロック機構は、例えば、前記ＰＯＳ端末からの開放指示を受けてロック状態を解除し、棒金収納トレイ１４を引出すものである。
【００３３】
図２及び図３に示すように、棒金収納トレイ１４は、筐体１６に設けた左右対となる本体側ガイド部材の間に挿入可能となる大きさに構成した箱体であり、上面が開口した直方体形状を成している。棒金収納トレイ１４の両側壁の外面には、それぞれトレイ側ガイド部１９が取り付けられている。トレイ側ガイド部１９は、棒金収納トレイ１４の外面から突出しており、筐体１６に設けた本体側ガイド部材に摺動自在に係合することにより、棒金収納トレイ１４を筐体１６前面の開口から引出し可能に支持するものである。
【００３４】
棒金収納トレイ１４の内部には、収納部２０が設けられている。収納部２０は、予め定められた種類の棒金を予め定められた位置に収納するためのものであり、図２及び図５に示すように、複数のユニット２０ａ，２０ｂ，２０ｃ，２０ｄ，２０ｅ，２０ｆ，２０ｇを組み合わせて構成されている。
【００３５】
本実施形態の収納部２０は、棒金収納トレイ１４の引出し方向で手前側から奥側に向かって順に、前列（第１ユニット）となるユニット２０ａ〜２０ｃと、中列（第２ユニット）となるユニット２０ｄ〜２０ｆと、後列（第３ユニット）となるユニット２０ｇとを備え、後列のユニット２０ｇの側部に制御ユニット２５が設けられている。ユニット２０ａ〜２０ｃは前列で左右に並んで配列されており、ユニット２０ｄ〜２０ｆは中列で左右に並んで配列されている。
【００３６】
図３に示すように、各ユニット２０ａ〜２０ｇは、適宜入れ替え可能に構成されている。制御ユニット２５は、制御基板を収納するためのものである。交換対象のユニットを取り外して新たなユニットを取り付けることにより、棒金収納トレイ１４の底面に配設された図示しないセンサ等により、制御ユニット２５は新たなユニットが装着されたことを認識できる。さらに、各ユニット２０ａ〜２０ｇに代えて、紙幣や商品券などの券類やハンコなどの小物を収納するための券類等収納ユニット（図示せず）を取り付けることもできる。
【００３７】
図４及び図５に示すように、ユニット２０ａには、同一種類の棒金を収納可能な収納ポケット２１ａが４個設けられており、前列及び中列の他のユニット２０ｂ〜２０ｆについても同様に収納ポケット２１ｂ〜２１ｆが４個ずつ設けられている。一方、図２及び図５に示すように、後列のユニット２０ｇには、別の種類の棒金を収納可能な収納ポケット２２ｇ，２３ｇ，２４ｇがそれぞれ２個ずつ設けられており、３種類の棒金を合計６本収納可能となっている。
【００３８】
本実施形態に係る棒金収納庫１０は、収納部２０を構成するユニット２０ａ〜２０ｇのうちの一部のユニットに、複数種類の棒金の収納に対応した収納ポケットとして兼用ポケットを設けることにより、各店舗のニーズに応じて収納する棒金の種類を柔軟に変更可能としたものである。
【００３９】
そこで、次に、兼用ポケットを設けずに全ての収納ポケットを一種類の棒金のみに対応した専用ポケットを有する専用ユニットで構成した基準配置の一構成例について説明する。続いて、この基準配置の一部のユニットを兼用ポケットを有する兼用ユニットに置き換えることにより、その利便性・汎用性を向上させた兼用配置の各構成例について説明する。
【００４０】
図６は、図５に示す収納部２０に収納される棒金の基準配置を説明するための平面図である。
【００４１】
本実施形態に係る棒金収納庫１０の収納部２０では、先ず、図６に示す基準配置が初期配置として設定されており、後述するように基準配置の一部ユニットを兼用ユニットに変更することで各ニーズに応じた兼用配置を構成することができる。この基準配置において、前列及び中列のユニット２０ａ〜２０ｃ，２０ｄ〜２０ｆは、一般的な店舗での使用頻度が高い、１００円、１０円、１円硬貨（１系硬貨）を収納するためのものとされ、後列のユニット２０ｇは、一般的な店舗での使用頻度の低い、５００円、５０円、５円硬貨（５系硬貨）を収納するためのものに設定されている。
【００４２】
基準配置の前列及び中列では、左側のユニット２０ａ，２０ｄが１００円棒金専用ユニット２０ａ，２０ｄとなり、中央のユニット２０ｂ，２０ｅが１０円棒金専用ユニット２０ｂ，２０ｅとなり、右側のユニット２０ｃ，２０ｆが１円棒金専用ユニット２０ｃ，２０ｆとなっている。つまり、ユニット２０ａ，２０ｄの収納ポケット２１ａ，２１ｄが１００円棒金専用ポケット２１ａ，２１ｄであり、ユニット２０ｂ，２０ｅの収納ポケット２１ｂ，２１ｅが１０円棒金専用ポケット２１ｂ，２１ｅであり、ユニット２０ｃ，２０ｆの収納ポケット２１ｃ，２１ｆが１円棒金専用ポケット２１ｃ，２１ｆである。
【００４３】
一方、後列のユニット２０ｇは、３金種を混合して収納可能な混合ユニット２０ｇとなっている。この場合の混合ユニット２０ｇでは、左側２個の収納ポケット２２ｇが５００円棒金専用ポケット２２ｇであり、中央２個の収納ポケット２３ｇが５０円棒金専用ポケット２３ｇであり、右側２個の収納ポケット２４ｇが５円棒金専用ポケット２４ｇである。
【００４４】
これら各収納ポケット２１ａ〜２１ｆ，２２ｇ〜２４ｇは、棒金を横倒し姿勢で収納するための半円筒状の凹溝であり、軸心が棒金収納トレイ１４の前後方向に沿うように形成されている。収納ポケット２１ａ〜２１ｆ，２２ｇ〜２４ｇは、それぞれが所定の種類の棒金の専用ポケットであることから、その形状は収納対象となる棒金の外径と長さ（積層方向長さ）より若干大きく形成されている。これにより、収納対象となる棒金よりも大きな外形を持った棒金は収納ポケットに適正に入れることができなくなっている。
【００４５】
各収納ポケット２１ａ〜２１ｆ，２２ｇ〜２４ｇには、棒金が収納された場合に該収納された棒金によって出力（検出値）が変化することで収納状態や材質を区別するコイルセンサ３０がそれぞれ配設されている（図１１参照）。さらに、その収納対象となる棒金の種類が５円棒金や５０円棒金である収納ポケットには、硬貨の中央に形成された貫通孔の有無を検出する光センサ３２が配設されている（図１１参照）。なお、図１１は、後述する１円／５円棒金兼用ポケット４２の構成を示すものであるが、コイルセンサ３０及び光センサ３２の配置については、収納ポケット２１ａ〜２１ｆ，２２ｇ〜２４ｇの場合も同様である。
【００４６】
コイルセンサ３０は、収納ポケット２１ａ〜２１ｆ，２２ｇ〜２４ｇに棒金が収納された場合に磁気インピーダンスが変動する磁気コイルを有し、収納ポケット２１ａ〜２１ｆ，２２ｇ〜２４ｇの裏面中央部に配設されている。コイルセンサ３０は、棒金を構成する硬貨の材質が白銅系の硬貨（５０円硬貨、１００円硬貨、５００円硬貨）であるか、白銅系以外の硬貨（１円硬貨、５円硬貨、１０円硬貨）であるか等、その材質を区別する。さらに、コイルセンサ３０は、収納対象の棒金が収納ポケット２１ａ〜２１ｆ，２２ｇ〜２４ｇに適正に収納されているか否かの検出や、収納棒金の本数（在高）の計数にも利用される。
【００４７】
光センサ３２は、収納ポケット２１ａ〜２１ｆ，２２ｇ〜２４ｇの長手方向一端及び他端に配置された投光素子３２ａ及び受光素子３２ｂを有し、収納ポケット２１ａ〜２１ｆ，２２ｇ〜２４ｇに棒金が収納された場合に受光する光量が変化するものである。光センサ３２は、貫通孔が形成された孔あき硬貨であるか否かで区別する必要がある硬貨（例えば、５円硬貨と１円硬貨）を収納する収納ポケット（例えば、５円硬貨専用ポケット２４ｇ）に配設される。光センサ３２を用いることにより、コイルセンサ３０で区別しにくい材質の硬貨（５円硬貨と１円硬貨）を貫通孔の有無で確実に区別することができる。
【００４８】
次に、図６に示す基準配置の一部のユニットを兼用ユニットに置き換えた兼用配置の各構成例について順に説明する。
【００４９】
図７は、第１構成例に係る兼用配置を適用した収納部２０の平面図である。
【００５０】
図７に示すように、第１構成例に係る兼用配置を適用した収納部２０は、図６に示す基準配置のものに対して、前列右側の１円棒金専用ユニット２０ｃを１円／５円棒金兼用ユニット４０に変更した構成となっている。兼用ユニット４０は、図６に示すユニット２０ｃの４個の１円棒金専用ポケット２１ｃを、１円棒金と５円棒金のいずれも収納可能な１円／５円棒金兼用ポケット（１円／５円フリーポケット）４２に変更した構成である。
【００５１】
１円／５円棒金兼用ポケット４２は、１円棒金と５円棒金とを区別可能であり、且つそれ以外の種類の棒金（１０円棒金、５０円棒金、１００円棒金、５００円棒金）を異金種（異物）として区別することができる収納ポケットである。この区別を可能とするため、本実施形態の場合、１円／５円棒金兼用ポケット４２は次の構成（１）〜（５）を有するものとした。
【００５２】
（１）１円／５円棒金兼用ポケット４２の形状は、図１１に示すように、５円棒金Ｂ５の幅寸法（外径）ＷＢ５より若干大きな幅寸法（内径）Ｗ１を有する半円状の溝とする。兼用ポケット４２は、幅寸法ＷＢ５より若干大きな幅寸法を有する矩形状の溝としてもよい。なお、１円棒金Ｂ１の幅寸法ＷＢ１は、５円棒金Ｂ５の幅寸法ＷＢ５より小さい。
【００５３】
（２）１円／５円棒金兼用ポケット４２の長さＬ１は、５円棒金の長さ寸法ＬＢ５よりも若干長い寸法とする。なお、１円硬貨と５円硬貨の厚みは基本的に１．５ｍｍで同じであり、従って、１円棒金Ｂ１の長さ寸法ＬＢ１は、５円棒金の長さ寸法ＬＢ５と同じである。
【００５４】
上記（１），（２）により、１円／５円棒金兼用ポケット４２は、５円棒金Ｂ５をほとんど隙間なく適正に収納可能であると共に、１円棒金Ｂ１を余裕を持って適正に収納可能な形状となる。
【００５５】
（３）１円／５円棒金兼用ポケット４２の裏面にコイルセンサ３０を配設する。但し、アルミニウム硬貨である１円硬貨と、黄銅硬貨である５円硬貨とは、コイルセンサ３０の出力値の差が小さい。このため、１円棒金Ｂ１と５円棒金Ｂ５とは、硬貨自身の汚れ、積層部分での密着状態、包装の状態等により、その判別精度が低下し、正確な判別が難しい場合もある。
【００５６】
（４）そこで、１円／５円棒金兼用ポケット４２には、その一端及び他端に投光素子３２ａ及び受光素子３２ｂを配置した光センサ３２を配設する。この光センサ３２により、５円棒金Ｂ５では投光素子３２ａからの光が５円硬貨の貫通孔によって透光し、１円棒金Ｂ１では遮光されるため、１円棒金Ｂ１と５円棒金Ｂ５とを判別することができる。
【００５７】
（５）他の金種の棒金のうち、１０円棒金Ｂ１０、１００円棒金Ｂ１００、５００円棒金Ｂ５００については、その幅寸法（外径）ＷＢ１０，ＷＢ１００，ＷＢ５００が５円棒金Ｂ５の幅寸法ＷＢ５より十分に大きいため、兼用ポケット４２には入らず、その底から浮いた状態となる（図１２参照）。従って、コイルセンサ３０の出力が著しく小さいものとなり、１円棒金Ｂ１及び５円棒金Ｂ５と明確に区別することができる。さらに、図１２から明らかなように、これら１０円棒金Ｂ１０等は、兼用ポケット４２から浮いた状態となるため、目視によっての区別も可能であり、また、その上端が筐体１６の開口の上端縁部１６ａ（図１２中の１点鎖線参照）と干渉するため、棒金収納トレイ１４を筐体１６内に押込むことができなくなることでも区別できる。なお、１０円棒金Ｂ１０の幅寸法ＷＢ１０と、１００円棒金Ｂ１００の幅寸法ＷＢ１００と、５００円棒金Ｂ５００の幅寸法ＷＢ５００とは、互いに異なる大きさであるが、いずれも５円棒金Ｂ５の幅寸法ＷＢ５よりも大きいことに変わりはないため、図１１及び図１２では、同一寸法としてまとめて取り扱っている。なお、図１２では、断面ハッチングを省略している。
【００５８】
一方、他の金種の棒金のうち、５０円棒金Ｂ５０については、その幅寸法ＷＢ５０が、５円棒金Ｂ５の幅寸法ＷＢ５より小さいため、兼用ポケット４２に入る寸法となっている。ところが、５０円硬貨の一枚当たりの厚みは５円硬貨より大きく、例えば、５０枚積層した棒金では１０ｍｍ以上長くなる。このため、５０円棒金Ｂ５０の長さ寸法ＬＢ５０は、兼用ポケット４２の長さＬ１よりも十分に大きくなり、５０円棒金Ｂ５０は兼用ポケット４２の長手方向にはみ出すことになる。従って、５０円棒金Ｂ５０は一端側のみが兼用ポケット４２の底面に着地し、他端側が底面から浮いてしまうため、上記した１０円棒金Ｂ１０等の場合と同様に、コイルセンサ３０の出力が著しく小さいものとなり、１円棒金Ｂ１及び５円棒金Ｂ５と明確に区別することができる。勿論、５０円棒金Ｂ５０の場合にも、目視や棒金収納トレイ１４と筐体１６の開口の上端縁部１６ａとの干渉によっても、１円棒金Ｂ１及び５円棒金Ｂ５を明確に区別することができる。
【００５９】
以上により、上記（５）によって１円棒金Ｂ１及び５円棒金Ｂ５以外が物理的に排除され、上記（３）によって１円棒金Ｂ１又は５円棒金Ｂ５の収納が確認されるため、１円／５円棒金兼用ポケット４２では、収納された棒金の金種を１円棒金Ｂ１又は５円棒金Ｂ５に絞ることができる。続いて、収納された棒金が、１円棒金Ｂ１であるか又は５円棒金Ｂ５であるかを、上記（４）によって判別することができる。従って、図７に示す第１構成例に係る兼用配置の収納部２０では、図６に示す基準配置の収納部２０と比べて、５円棒金の収納量が実質的に増加する一方、１円棒金の収納量が実質的に減少しており、特に５円硬貨を多く必要とする店舗等に好適である。
【００６０】
図８は、第２構成例に係る兼用配置を適用した収納部２０の平面図である。
【００６１】
図８に示すように、第２構成例に係る兼用配置を適用した収納部２０は、図６に示す基準配置のものに対して、中列右側の１円棒金専用ユニット２０ｆを４個の１円／５円棒金兼用ポケット４２を有する１円／５円棒金兼用ユニット４０に変更した構成である。従って、図８に示す第２構成例に係る兼用配置の収納部２０では、図６に示す基準配置の収納部２０と比べて、５円棒金の収納量が実質的に増加する一方、１円棒金の収納量が実質的に減少している。また、図７に示す第１構成例に係る収納部２０と比べて、５円棒金専用ポケット２４ｇに近い中列右側に１円／５円棒金兼用ポケット４２が配置されるため、５円棒金の収納ポケットをある程度集約して配置しておくことができ、取り扱い易さが向上している。
【００６２】
図９は、第３構成例に係る兼用配置を適用した収納部２０の平面図である。
【００６３】
図９に示すように、第３構成例に係る兼用配置を適用した収納部２０は、図６に示す基準配置のものに対して、後列の混合ユニット２０ｇを２個の１円／５円棒金兼用ポケット４２を有する混合兼用ユニット４４に変更した構成である。混合兼用ユニット４４は、混合ユニット２０ｇの２個の５円棒金専用ポケット２４ｇを２個の１円／５円棒金兼用ポケット４２に変更した構成である。従って、図９に示す第３構成例に係る兼用配置の収納部２０では、図６に示す基準配置の収納部２０と比べて、５円棒金の収納量が実質的に減少する一方、１円棒金の収納量が実質的に増加しており、特に１円硬貨を多く必要とする店舗等に好適である。
【００６４】
図１０は、第４構成例に係る兼用配置を適用した収納部２０の平面図である。
【００６５】
図１０に示すように、第４構成例に係る兼用配置を適用した収納部２０は、図６に示す基準配置のものに対して、前列右側及び中列右側の１円棒金専用ユニット２０ｃ，２０ｆを、それぞれ４個の１円／５円棒金兼用ポケット４２を有する１円／５円棒金兼用ユニット４０に変更し、後列の混合ユニット２０ｇを２個の１円／５円棒金兼用ポケット４２を有する混合兼用ユニット４４に変更した構成である。従って、図１０に示す第４構成例に係る兼用配置の収納部２０では、図６に示す基準配置の収納部２０と比べて、１円棒金と５円棒金の収納量をより柔軟に変更することができ、１円硬貨を多く必要とする状況や５円硬貨を多く必要とする状況が適宜変化する店舗等に好適である。
【００６６】
なお、１円／５円棒金兼用ユニット４０及び混合兼用ユニット４４の配置は、図７〜図１０に示す構成例以外の配置としても勿論よい。例えば、図６に示す基準配置のものに対して、前列右側の１円棒金専用ユニット２０ｃ及び後列の混合ユニット２０ｇを１円／５円棒金兼用ユニット４０及び混合兼用ユニット４４に変更した構成、中列右側の１円棒金専用ユニット２０ｆ及び後列の混合ユニット２０ｇを１円／５円棒金兼用ユニット４０及び混合兼用ユニット４４に変更した構成、又は前列右側及び中列右側の１円棒金専用ユニット２０ｃ，２０ｆを１円／５円棒金兼用ユニット４０に変更した構成としてもよい。また、前列（第１ユニット）及び中列（第２ユニット）は、１０円棒金専用ユニット及び１００円棒金専用ユニットと、１円／５円棒金兼用ユニットとを一体に構成したものでもよい。
【００６７】
図１３は、第５構成例に係る兼用配置を適用した収納部２０の平面図である。
【００６８】
図１３に示すように、第５構成例に係る兼用配置を適用した収納部２０は、図６に示す基準配置のものに対して、前列左側の１００円棒金専用ユニット２０ａを５０円／１００円棒金兼用ユニット５０に変更した構成となっている。兼用ユニット５０は、図５及び図６に示すユニット２０ａの４個の１００円棒金専用ポケット２１ａを、５０円棒金と１００円棒金のいずれも収納可能な５０円／１００円棒金兼用ポケット（５０円／１００円フリーポケット）５２に変更した構成である。
【００６９】
５０円／１００円棒金兼用ポケット５２は、５０円棒金と１００円棒金とを区別可能であり、且つそれ以外の種類の棒金（１円棒金、５円棒金、１０円棒金、５００円棒金）を異金種（異物）として区別することができる収納ポケットである。この区別を可能とするため、本実施形態の場合、５０円／１００円棒金兼用ポケット５２は次の構成（６）〜（１０）を有するものとした。
【００７０】
（６）５０円／１００円棒金兼用ポケット５２の形状は、図１７に示すように、１００円棒金Ｂ１００の幅寸法（外径）ＷＢ１００より若干大きな幅寸法（内径）Ｗ２を有する半円状の溝とする。兼用ポケット５２は、幅寸法ＷＢ１００より若干大きな幅寸法を有する矩形状の溝としてもよい。なお、５０円棒金Ｂ５０の幅寸法ＷＢ５０は、１００円棒金Ｂ１００の幅寸法ＷＢ１００より小さい。
【００７１】
（７）５０円／１００円棒金兼用ポケット５２の長さＬ２は、５０円棒金の長さ寸法ＬＢ５０よりも若干長い寸法とする。なお、１００円硬貨の厚みは５０円硬貨よりも薄く、従って、１００円棒金Ｂ１００の長さ寸法ＬＢ１００は、５０円棒金の長さ寸法ＬＢ５０よりも小さい。
【００７２】
上記（６），（７）により、５０円／１００円棒金兼用ポケット５２は、５０円棒金Ｂ５０及び１００円棒金Ｂ１００を適正に収納可能な形状となる。
【００７３】
（８）５０円／１００円棒金兼用ポケット５２の裏面にコイルセンサ３０を配設する。但し、５０円硬貨と１００円硬貨とは、共に白銅系の材料であるため、コイルセンサ３０の出力値に差は出ない。その反面、他の金種の棒金のうち、１円棒金Ｂ１と５円棒金Ｂ５は、その外形が上記（６），（７）によって形成された５０円／１００円棒金兼用ポケット５２に入ってしまう形状となっているが、アルミニウム硬貨である１円硬貨及び黄銅硬貨である５円硬貨と、白銅硬貨である５０円硬貨及び１００円硬貨とは、コイルセンサ３０の出力値が大きく異なるため、明確に判別することができる。
【００７４】
（９）また、５０円／１００円棒金兼用ポケット５２には、その一端及び他端に投光素子３２ａ及び受光素子３２ｂを配置した光センサ３２を配設する。この光センサ３２により、５０円棒金Ｂ５０では投光素子３２ａからの光が５０円硬貨の貫通孔によって透光し、１００円棒金Ｂ１００では遮光されるため、５０円棒金Ｂ５０と１００円棒金Ｂ１００とを判別することができる。
【００７５】
（１０）他の金種の棒金のうち、１０円棒金Ｂ１０と５００円棒金Ｂ５００については、その幅寸法（外径）ＷＢ１０，ＷＢ５００が１００円棒金Ｂ１００の幅寸法ＷＢ１００より十分に大きいため、兼用ポケット５２には入らず、その底から浮いた状態となる（図１２の例と略同様となる）。従って、コイルセンサ３０の出力が著しく小さいものとなり、５０円棒金Ｂ５０及び１００円棒金Ｂ１００と明確に区別することができる。さらに、これら１０円棒金Ｂ１０等は、兼用ポケット５２から浮いた状態となるため、目視によっての区別も可能であり、また、その上端が筐体１６の開口の上端縁部１６ａと干渉し、棒金収納トレイ１４を筐体１６内に押込むことができなくなることでも区別できる。なお、１０円棒金Ｂ１０の幅寸法ＷＢ１０と、５００円棒金Ｂ５００の幅寸法ＷＢ５００とは、互いに異なる大きさであるが、いずれも１００円棒金Ｂ１００の幅寸法ＷＢ１００よりも大きいことに変わりはないため、図１７では、同一寸法としてまとめて取り扱っている。
【００７６】
以上により、上記（１０）によって１０円棒金Ｂ１０及び５００円棒金Ｂ５００が物理的に排除され、上記（８）によって１円棒金Ｂ１及び５円棒金Ｂ５が排除されると共に、５０円棒金Ｂ５０又は１００円棒金Ｂ１００の収納が確認されるため、５０円／１００円棒金兼用ポケット５２では、収納された棒金の金種を５０円棒金Ｂ５０又は１００円棒金Ｂ１００に絞ることができる。続いて、収納された棒金が、５０円棒金Ｂ５０であるか又は１００円棒金Ｂ１００であるかを、上記（９）によって判別することができる。従って、図１３に示す兼用配置の収納部２０では、図６に示す基準配置の収納部２０と比べて、５０円棒金の収納量が実質的に増加する一方、１００円棒金の収納量が実質的に減少しており、特に５０円硬貨を多く必要とする店舗等に好適である。
【００７７】
図１４は、第６構成例に係る兼用配置を適用した収納部２０の平面図である。
【００７８】
図１４に示すように、第６構成例に係る兼用配置を適用した収納部２０は、図６に示す基準配置のものに対して、中列左側の１００円棒金専用ユニット２０ｄを４個の５０円／１００円棒金兼用ポケット５２を有する５０円／１００円棒金兼用ユニット５０に変更した構成である。従って、図１４に示す第６構成例に係る兼用配置の収納部２０では、図６に示す基準配置の収納部２０と比べて、５０円棒金の収納量が実質的に増加する一方、１００円棒金の収納量が実質的に減少している。また、図１３に示す第５構成例に係る収納部２０と比べて、５０円棒金専用ポケット２３ｇを設けた後列により近い中列に５０円／１００円棒金兼用ポケット５２が配置されるため、５０円棒金の収納ポケットをある程度集約して配置しておくことができ、取り扱い易さが向上している。
【００７９】
図１５は、第７構成例に係る兼用配置を適用した収納部２０の平面図である。
【００８０】
図１５に示すように、第７構成例に係る兼用配置を適用した収納部２０は、図６に示す基準配置のものに対して、後列の混合ユニット２０ｇを２個の５０円／１００円棒金兼用ポケット５２を有する混合兼用ユニット５４に変更した構成である。混合兼用ユニット５４は、混合ユニット２０ｇの２個の５０円棒金専用ポケット２３ｇを２個の５０円／１００円棒金兼用ポケット５２に変更した構成である。従って、図１５に示す第７構成例に係る兼用配置の収納部２０では、図６に示す基準配置の収納部２０と比べて、５０円棒金の収納量が実質的に減少する一方、１００円棒金の収納量が実質的に増加しており、特に１００円硬貨を多く必要とする店舗等に好適である。
【００８１】
図１６は、第８構成例に係る兼用配置を適用した収納部２０の平面図である。
【００８２】
図１６に示すように、第８構成例に係る兼用配置を適用した収納部２０は、図６に示す基準配置のものに対して、前列左側及び中列左側の１００円棒金専用ユニット２０ａ，２０ｄを、それぞれ４個の５０円／１００円棒金兼用ポケット５２を有する５０円／１００円棒金兼用ユニット５０に変更し、後列の混合ユニット２０ｇを２個の５０円／１００円棒金兼用ポケット５２を有する混合兼用ユニット５４に変更した構成である。従って、図１６に示す第８構成例に係る兼用配置の収納部２０では、図６に示す基準配置の収納部２０と比べて、５０円棒金と１００円棒金の収納量をより柔軟に変更することができ、５０円硬貨を多く必要とする状況や１００円硬貨を多く必要とする状況が適宜変化する店舗等に好適である。
【００８３】
なお、５０円／１００円棒金兼用ユニット５０及び混合兼用ユニット５４の配置は、図１３〜図１６に示す構成例以外の配置としても勿論よい。例えば、図６に示す基準配置のものに対して、前列左側の１００円棒金専用ユニット２０ａ及び後列の混合ユニット２０ｇを５０円／１００円棒金兼用ユニット５０及び混合兼用ユニット５４に変更した構成、中列左側の１００円棒金専用ユニット２０ｄ及び後列の混合ユニット２０ｇを５０円／１００円棒金兼用ユニット５０及び混合兼用ユニット５４に変更した構成、又は前列左側及び中列左側の１００円棒金専用ユニット２０ａ，２０ｄを５０円／１００円棒金兼用ユニット５０に変更した構成としてもよい。また、前列（第１ユニット）及び中列（第２ユニット）は、１０円棒金専用ユニット及び１円棒金専用ユニットと、５０円／１００円棒金兼用ユニットとを一体に構成したものでもよい。
【００８４】
以上のように、本実施形態に係る棒金収納庫１０は、棒金を収納する収納部２０を有する棒金収納トレイ１４と、棒金収納トレイ１４を引出し可能に格納する筐体１６とを備え、収納部２０は、１種類の棒金の収納に対応した専用ポケット（例えば、図７の第１構成例では１００円棒金専用ポケット２１ａ等）を１以上設けた専用ユニット（例えば、図７の第１構成例では１００円棒金専用ユニット２０ａ等）と、複数種類の棒金の収納に対応した兼用ポケット（例えば、図７の第１構成例では１円／５円棒金兼用ポケット４２）を１以上設けた兼用ユニット（例えば、図７の第１構成例では１円／５円棒金兼用ユニット４０）とを組み合わせて構成される。
【００８５】
このように、棒金収納庫１０では、１種類の棒金の収納に対応した専用ポケットを１以上設けた専用ユニットと、複数種類の棒金の収納に対応した兼用ポケットを１以上設けた兼用ユニットとを組み合わせて収納部２０を構成している。このため、従来構成のように棒金の収納ポケットを全て専用ポケットで構成した場合に比べて、収納する棒金の種類や本数を柔軟に設定変更することができ、店舗毎或いは棒金収納庫１０毎に要求される棒金の種類や本数に柔軟に対応することが可能となり、利便性・汎用性が高い。しかも、複数のユニット２０ａ〜２０ｇ，４０，４４，５０，５４を組み合わせて収納部２０を構成することができるため、専用ユニットと兼用ユニットの変更も極めて容易に行うことができ、棒金収納庫１０の利便性・汎用性が一層向上する。また、消費税の税率変更があり、例えば、５％から８％に変更された場合、１００円均一価格ショップでは、５％ではほとんど必要のなかった１円硬貨の使用頻度が大幅に増加することになる。棒金収納庫１０では、このような使用頻度の変化にも、例えば専用ユニットを兼用ユニットに交換することで柔軟に対応することができ、装置自体の入れ替えが不要となり、汎用性が高く、コストも低減できる。
【００８６】
この場合、例えば、図７の第１構成例に係る収納部２０のように、１円／５円棒金兼用ユニット４０以外のユニットにおいて、例えば、１円棒金専用ユニット２０ｆは、各種の棒金の中で最も外形の小さい１円棒金のみを収納可能であればよいため、光センサ３２が不要となり、ユニット単価を低減することができる。換言すれば、図１０の第４構成例に係る収納部２０では、１円棒金及び５円棒金を収納するためのユニットを全て兼用ユニット４０，４４で構成しているため、棒金の収納自由度は非常に高いが、全ての兼用ユニット４０，４４にコイルセンサ３０だけでなく光センサ３２も配設する必要があり、その製造コストが高くなり、顧客の初期負担も大きいものとなる。これに対して、図７の第１構成例に係る収納部２０では、顧客のニーズに応じて、１円棒金専用ユニット２０ｆも設置しているので、その製造コストを抑制でき、顧客の初期負担も軽減できる。
【００８７】
図１１に示すように、１円／５円棒金兼用ポケット４２には、該兼用ポケット４２に収納された棒金の材質によって検出値が変化するコイルセンサ（第１センサ）３０と、該兼用ポケット４２に収納された棒金を構成する硬貨の貫通孔の有無を検出する光センサ（第２センサ）３２とが設けられ、該兼用ポケット４２の形状が、その収納対象となる１円棒金及び５円棒金以外の棒金を適正に収納できない形状となっている。この構成により、１円／５円棒金兼用ポケット４２では、２種類の収納対象の棒金（１円棒金及び５円棒金）を適正に判別することが可能となっている。
【００８８】
一方、図１７に示すように、５０円／１００円棒金兼用ポケット５２には、該兼用ポケット５２に収納された棒金の材質によって検出値が変化するコイルセンサ（第１センサ）３０と、該兼用ポケット５２に収納された棒金を構成する硬貨の貫通孔の有無を検出する光センサ（第２センサ）３２とが設けられ、該兼用ポケット５２の形状が、その収納対象となる５０円棒金及び１００円棒金に対してコイルセンサ３０では区別できない１０円棒金及び５００円棒金を適正に収納できない形状となっている。この構成により、５０円／１００円棒金兼用ポケット５２では、２種類の収納対象の棒金（５０円棒金及び１００円棒金）を適正に判別することが可能となっている。
【００８９】
なお、本発明は、上記した実施形態に限定されるものではなく、本発明の主旨を逸脱しない範囲で自由に変更できることは勿論である。
【００９０】
例えば、図７〜図１０に示す構成例では、１円／５円棒金兼用ポケット４２を有する１円／５円棒金兼用ユニット４０及び混合兼用ユニット４４を備えた構成の収納部２０を例示し、図１３〜図１６に示す構成例では、５０円／１００円棒金兼用ポケット５２を有する５０円／１００円棒金兼用ユニット５０及び混合兼用ユニット５４を備えた構成の収納部２０を例示したが、これら１円／５円棒金兼用ユニット４０と、混合兼用ユニット４４と、５０円／１００円棒金兼用ユニット５０と、混合兼用ユニット５４とを１つの収納部２０に混在させても勿論よい。また、これらの他に図１８に示すように、１円／５円棒金兼用ポケット４２と、１０円／５０円棒金兼用ポケット６０と、１００円／５００円兼用ポケット６２を配置して収納部２０を構成できれば、さらに収納する棒金の種類や本数を柔軟に設定することが可能となる。
【符号の説明】
【００９１】
１０  棒金収納庫
１２  貨幣処理装置
１４  棒金収納トレイ
１６  筐体
１７  釣銭機
１８  釣札機
２０  収納部
２０ａ，２０ｄ  １００円棒金専用ユニット（ユニット）
２０ｂ，２０ｅ  １０円棒金専用ユニット（ユニット）
２０ｃ，２０ｆ  １円棒金専用ユニット（ユニット）
２０ｇ  混合ユニット（ユニット）
２１ａ，２１ｄ  １００円棒金専用ポケット（収納ポケット）
２１ｂ，２１ｅ  １０円棒金専用ポケット（収納ポケット）
２１ｃ，２１ｆ  １円棒金専用ポケット（収納ポケット）
２２ｇ  ５００円棒金専用ポケット（収納ポケット）
２３ｇ  ５０円棒金専用ポケット（収納ポケット）
２４ｇ  ５円棒金専用ポケット（収納ポケット）
２５  制御ユニット
３０  コイルセンサ
３２  光センサ
４０  １円／５円棒金兼用ユニット
４２  １円／５円棒金兼用ポケット
４４，５４  混合兼用ユニット
５０  ５０円／１００円棒金兼用ユニット
５２  ５０円／１００円棒金兼用ポケット
【図１】
0006048324.tif 000002
【図２】
0006048324.tif 000003
【図３】
0006048324.tif 000004
【図４】
0006048324.tif 000005
【図５】
0006048324.tif 000006
【図６】
0006048324.tif 000007
【図７】
0006048324.tif 000008
【図８】
0006048324.tif 000009
【図９】
0006048324.tif 000010
【図１０】
0006048324.tif 000011
【図１１】
0006048324.tif 000012
【図１２】
0006048324.tif 000013
【図１３】
0006048324.tif 000014
【図１４】
0006048324.tif 000015
【図１５】
0006048324.tif 000016
【図１６】
0006048324.tif 000017
【図１７】
0006048324.tif 000018
【図１８】
0006048324.tif 000019